【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】  ２以上のスピーカにより再生された音響の空間的および周波数応答特性を強調するオーディオ補正システム（120）において、
前記音響が複数のスピーカ（246、247、250）によって再生されるとき、音響の知覚される垂直イメージを補正するように構成されたイメージ補正モジュール（122）と、
前記音響が複数のスピーカによって再生されるとき、前記音響の知覚される低音応答特性を強調するように構成された低音強調モジュール（101）と、
前記音響が複数のスピーカによって再生されるとき、音響の水平イメージを強調するように構成されたイメージ強調モジュール（124）とを具備しており、
前記イメージ補正モジュール（122）により行われる補正は前記低音強調モジュール（101）によって行われる強調に先行して行われ、
前記低音強調モジュール（101）によって行われる低音強調は、前記イメージ強調モジュール（124）によって与えられるイメージ強調に先行して行われるオーディオ補正システム。
【請求項２】  前記音響は２以上のオーディオ信号を有しており、それらのオーディオ信号は、前記オーディオ信号に共通している共通モード情報と、前記オーディオ信号に共通していない差情報とを有しており、前記イメージ補正モジュール（122）は、
前記オーディオ信号の一つを供給され、反転入力と非反転入力とを有している第１の増幅器（2102）と、
前記オーディオ信号の一つを供給され、反転入力と非反転入力とを有している第２の増幅器（2104）と、
前記第１の増幅器（2102）の前記非反転入力と前記第２の増幅器（2104）の前記非反転入力とに接続され、前記差動情報中の第１の周波数のセットを変更させるように構成されている第１のフィルタ（2106）と、
前記第１の増幅器（2102）の前記反転入力と前記第２の増幅器（2104）の前記反転入力とに接続され、前記差動情報中の第２の周波数のセットを変更させるように構成されている第２のフィルタ（2107）と、
前記第１の増幅器（2102）の前記反転入力と前記第１の増幅器（2102）の出力とに接続され、第３の周波数のセットを変更させるように構成されている第３のフィルタ（2108）とを具備し、前記第１、第２、第３の周波数のセットは組合わされて第１の強調された出力信号を形成しており、
さらに、前記第２の増幅器（2104）の前記反転入力と前記第２の増幅器（2104）の出力とに接続され、第４の周波数のセットを変更させるように構成されている第４のフィルタ（2109）を具備し、前記第１、第２、第４の周波数のセットは組合わされて第２の強調された出力信号を形成している請求項１記載のオーディオ補正システム。
【請求項３】  前記イメージ補正モジュール（122）は、左信号チャンネル中の音響を濾波する左チャンネルフィルタと右信号チャンネル中の音響を濾波する右チャンネルフィルタとを具備している請求項１記載のオーディオ補正システム。
【請求項４】  前記左チャンネルフィルタと右チャンネルフィルタは、音響源の垂直位置の関数として人間の聴覚システムの周波数応答特性の変化にしたがって前記左チャンネルおよび前記右チャンネルを濾波するように構成されている請求項３記載のオーディオ補正システム。
【請求項５】  前記左チャンネルフィルタと右チャンネルフィルタは、高い周波数に関して低い周波数を強調するように構成されている請求項３記載のオーディオ補正システム。
【請求項６】  前記低音強調モジュール（101）は、複数の入力信号を受信し、入力信号の高い周波数に関して入力信号の低い周波数の共通モード部分を強調するように構成されている請求項１記載のオーディオ補正システム。
【請求項７】  前記低音強調モジュール（101）は、
左チャンネル信号の少なくとも一部を右チャンネル信号の少なくとも一部と組合せて結合された信号を生成する第１の結合器（1406）と、
前記結合された信号の一部分を選択して濾波された信号を生成するように構成されているフィルタ（1407）と、
前記濾波された信号のエンベロープに応答して前記濾波された信号を調節し、低音強調信号を生成する可変利得モジュール（1420）と、
前記左チャンネル信号と前記低音強調信号の少なくとも一部とを組合せるように構成されている第２の結合器（1424）と、
前記右チャンネル信号と前記低音強調信号の少なくとも一部とを組合せるように構成されている第３の結合器（1432）とを具備している請求項１記載のオーディオ補正システム。
【請求項８】  前記可変利得モジュール（1420）はエキスパンダを具備している請求項７記載のオーディオ補正システム。
【請求項９】  前記可変利得モジュール（1420）はコンプレッサを具備している請求項７記載のオーディオ補正システム。
【請求項１０】  前記イメージ強調モジュール（124）は、左チャンネル入力（594）と右チャンネル入力（596）とを含む入力信号を受信するように構成され、前記イメージ強調モジュール（124）はさらに、前記入力信号の共通モード部分に応答して共通モード特性を与え、前記入力信号の差動モード部分に応答して差動モード特性を与えるように構成されている請求項１記載のオーディオ補正システム。
【請求項１１】  前記イメージ強調モジュール（124）は、共通モード伝達関数および差動モード伝達関数を与えるように構成されている請求項１記載のオーディオ補正システム。
【請求項１２】  前記差動モード伝達関数は高い周波数に関して低い周波数を強調する請求項１１記載のオーディオ補正システム。
【請求項１３】  前記差動モード伝達関数は、第１の周波数帯域の周波数成分に対しては第１の強調緩和を与え、第２の周波数帯域の周波数成分に対しては第２の強調緩和を与え、第３の周波数帯域の周波数成分に対しては第３の強調緩和を与え、第４の周波数帯域の周波数成分に対しては第４の強調緩和を与え、前記第１の周波数帯域は前記第２の周波数帯域よりも低く、前記第２の周波数帯域は前記第３の周波数帯域よりも低く、前記第３の周波数帯域は前記第４の周波数帯域よりも低く、前記第２の強調緩和は前記第１および第３の強調緩和よりも低い請求項１１記載のオーディオ補正システム。
【請求項１４】  知覚された音響ステージを改善し、前記音響の知覚された低音成分を改善するためのオーディオサウンドの強調方法において、
複数のスピーカ（246、247、250）によって再生された見掛け上の音響ステージ知覚された高さを改善するために音響信号の高さを補正し、
前記スピーカ（246、247、250）の知覚される低音応答特性を強調するように前記音響信号の低音強調を行い、
マルチチャンネル音響信号の幅を、前記マルチチャンネル音響信号によって生成された見掛け上の音響ステージの知覚された幅に補正し、高さの補正は低音強調に先行して行われ、低音強化は幅の補正に先行して行われるオーディオサウンドの強調方法。
【請求項１５】  前記高さ補正の動作は、リスナーによって聴かれたとき前記見掛け上の音響ステージの知覚された垂直位置を変更するための前記音響信号の濾波を含んでいる請求項１４記載の方法。
【請求項１６】  前記高さの補正の動作において、前記左信号チャンネル中の信号の濾波動作および前記右信号チャンネル中の信号の濾波動作を含んでいる請求項１５記載の方法。
【請求項１７】  前記濾波動作において、前記左信号チャンネルおよび前記右信号チャンネルの周波数成分を人間の聴覚の垂直空間的周波数応答特性の変化にしたがって調整する請求項１６記載の方法。
【請求項１８】  前記濾波動作において、高い周波数に関して低い周波数を強調する請求項１６記載の方法。
【請求項１９】  前記低音強調動作において、高い周波数に関して低い周波数の部分を強調する請求項１４記載の方法。
【請求項２０】  前記低音強調動作において、マルチチャンネル入力信号の高い周波数に関してマルチチャンネル入力信号の低い周波数の共通モード部分を強調する請求項１４記載の方法。
【請求項２１】  前記低音強調動作において、
左チャンネル信号の少なくとも一部を右チャンネル信号の少なくとも一部と組合せて結合された信号を生成し、
前記結合された信号を濾波して濾波された信号を生成し、
前記濾波された信号のエンベロープにしたがって前記濾波された信号を増幅して低音強調された信号を生成し、
前記低音強調された信号の少なくとも一部分を前記左チャンネル信号と組合せ、
前記低音強調された信号の少なくとも一部分を前記右チャンネル信号と組合せる請求項１４記載の方法。
【請求項２２】  前記増幅動作において、アタック期間中前記濾波された信号を圧縮する請求項２１記載の方法。
【請求項２３】  前記増幅動作において、ディケイ期間中前記濾波された信号を伸長する請求項２１記載の方法。
【請求項２４】  前記幅を強調する動作において、前記マルチチャンネル音響信号の共通モード部分を識別し、共通モード特性にしたがって前記共通モード部分を調整し、前記マルチチャンネル音響信号の差動モード部分を識別し、差動モード特性にしたがって前記差動モード部分を調整する請求項１４記載の方法。
【請求項２５】  前記幅強調動作において、前記マルチチャンネル音響信号に対して共通モード伝達関数および差動モード伝達関数を適用する請求項１４記載の方法。
【請求項２６】  前記差動モード伝達関数の適用は、高い周波数に関して低い周波数を強調する動作を含んでいる請求項２５記載の方法。
【請求項２７】  前記差動モード伝達関数を適用する動作において、
第１の強調緩和値にしたがって第１の周波数帯域の周波数成分の強調を緩和させ、
第２の強調緩和値にしたがって第２の周波数帯域の周波数成分の強調を緩和させ、第２の周波数帯域の周波数は第１の周波数帯域の周波数よりも高く、
第３の強調緩和値にしたがって第３の周波数帯域の周波数成分の強調を緩和させ、第３の周波数帯域の周波数は第２の周波数帯域の周波数よりも高く、第２の強調緩和値は第１および第３の強調緩和値よりも低く、
第４の強調緩和値にしたがって第４の周波数帯域の周波数成分の強調を緩和し、第４の周波数帯域の周波数は前記第３の周波数帯域の周波数よりも高く、前記第４の強調緩和値は前記第１および第３の強調緩和値よりも低い請求項２５記載の方法。